(57)【要約】【課題】本考案は、接触式画像センサー構造を提供する。【解決手段】対向する第１の端面と第２の端面があり、該第１の端面と該第２の端面に貫通するピン槽が形成され、該第２の端面に、光源収納槽が設けられ、該光源収納槽と該ピン槽とが連通する本体と、該ピン槽を覆うように、該第１の端面に固定され、複数の電気連接部（ｐａｄ）がある基板と、該ピン槽と該光源収納槽に固定され、一端に、複数の電気ピンが設けられ、それらの電気ピンが、該ピン槽に貫通して該基板の電気連接部に接触する光源ユニットと、が含有され、これにより、該光源ユニットの電気ピンと該基板の電気連接部とが、半田付けによる固定方式を利用しないため、接触式画像センサーの耐用寿命と信頼度が向上され、接触式画像センサーの組立て工程を簡素化できる。【選択図】図７
0003139063.tif 000002
【実用新案登録請求の範囲】
【請求項１】
対向する第１の端面と第２の端面があり、該第１の端面と該第２の端面に貫通するピン槽が形成され、該第２の端面に、光源収納槽が設けられ、該光源収納槽と該ピン槽とが連通する本体と、
該ピン槽を覆うように、該第１の端面に固定され、複数の電気連接部がある基板と、
該ピン槽と該光源収納槽に固定され、一端に、複数の電気ピンが設けられ、それらの電気ピンが、該ピン槽に貫通して該基板の電気連接部に接触する光源ユニットと、
が含有される、
ことを特徴とする接触式画像センサー構造。
【請求項２】
該電気連接部は、該基板の一端面に設けられ、それらの電気ピンの一端が、それらの電気連接部に接触することを特徴とする請求項１に記載の接触式画像センサー構造。
【請求項３】
該基板の一端に、複数の貫通孔が形成され、それらの電気連接部が、それぞれ、それらの貫通孔の内壁に連接され、それらの電気ピンが、それらの貫通孔に貫設され、各電気ピンに、基部があり、各基部の外部において、間隔的に複数の接触アームが連接され、それらの接触アームが、それぞれ、それらの電気連接部に接触することを特徴とする請求項１に記載の接触式画像センサー構造。
【請求項４】
該接触アームは、第１の湾曲部と抵当部及び第２の湾曲部が備えられ、該第１の湾曲部が、該基部から該基部から離れる方向へ湾曲して延ばして形成され、該抵当部が、該第１の湾曲部の該基部の離れた一端から該基部に平行する方向に直線のように延ばして形成され、該第２の湾曲部が、該抵当部の該第１の湾曲部の離れた一端から該基部に接近する方向へ湾曲して延ばして形成されることを特徴とする請求項３に記載の接触式画像センサー構造。
【請求項５】
該電気ピンは、基部と挟み持ち部があり、該挟み持ち部に、第１のアームと第２のアーム及び第３のアームがあり、該第２のアームが、該第１のアームと該第３のアームの間に連接され、それらの電気連接部が、該基板の一端面に設けられ、該第１のアームと該第３のアームが、それぞれ、それらの電気連接部と該基板のもう一つの対向する端面に接触することを特徴とする請求項１に記載の接触式画像センサー構造。
【請求項６】
該第２のアームは、該基板の側壁の近くに位置することを特徴とする請求項５に記載の接触式画像センサー構造。
【請求項７】
該基板の側壁に、複数の欠け口が形成され、該第２のアームが、該欠け口内まで伸ばすことを特徴とする請求項５に記載の接触式画像センサー構造。
【請求項８】
該電気ピンは、基部と挟み持ち部が備えられ、該挟み持ち部に、第１のアームと第２のアーム及び第３のアームがあり、該第２のアームが、該第１のアームと第３のアームの間に連接され、それらの電気連接部が、該基板の対向する二つの端面に設けられ、該第１のアームと該第３のアームが、それぞれ、それらの電気連接部に接触することを特徴とする請求項１に記載の接触式画像センサー構造。
【請求項９】
該第２のアームは、該基板の側壁の近くに位置することを特徴とする請求項８に記載の接触式画像センサー構造。
【請求項１０】
該基板の側壁に、複数の欠け口が形成され、該第２のアームが、該欠け口内まで伸ばすことを特徴とする請求項８に記載の接触式画像センサー構造。
【請求項１１】
該光源ユニットは、該ピン槽と該光源収納槽内に粘着固定されることを特徴とする請求項１に記載の接触式画像センサー構造。
【請求項１２】
該第２の端面は、レンズ収納槽が設けられ、該レンズ収納槽内に柱状であるレンズが粘着固定されることを特徴とする請求項１に記載の接触式画像センサー構造。
【請求項１３】
該第１の端面は、基板実装槽が設けられ、該ピン槽の一端が、該基板実装槽の中に位置し、該基板実装槽の中において、間隔的に複数の該本体と一体成型である固定柱が設けられ、該基板に、間隔的に複数の固定孔が設けられ、それらの固定孔が、それらの固定柱を実装するためのものであることを特徴とする請求項１に記載の接触式画像センサー構造。
【請求項１４】
それらの電気ピンは、弾性部品であることを特徴とする請求項１に記載の接触式画像センサー構造。
【考案の詳細な説明】
【技術分野】
【０００１】
本考案は、接触式画像センサー構造に関し、特に、センサーの光源とセンサーの基板の間を連接する構造改良に関する。
【背景技術】
【０００２】
図１と図２のように、従来の接触式画像センサー（ＣＩＳ）は、本体１ａと基板２ａ、光源ユニット３ａ及び柱状であるレンズ４ａが備えられ、該本体１ａは、対向する第１の端面１１ａと第２の端面１２ａがあり、該光源ユニット３ａと該柱状であるレンズ４ａが、それぞれ、該第２の端面１２ａに粘着固定され、該基板２ａが、複数のネジ５ａにより第１の端面１１ａ上にロックされる。該光源ユニット３ａは、一端に、複数の電気ピン３１ａ（ｐｉｎ）があり、該本体１ａに、該第１の端面１１ａと該第２の端面１２ａに貫通するピン槽１３ａが設けられ、それらの電気ピン３１ａは、該ピン槽１３ａに貫設され、また、一端が、該基板２ａ上のパッド（ｐａｄ）２１ａに半田付けられ、これにより、光源ユニット３ａと基板２ａとが電気的に接続される。
【０００３】
半田付けによれば、光源ユニット３ａが、該基板２ａ上に固定されて電気的に接続されるが、半田付けの熱度が、時効的に光源ユニット３ａの耐用寿命に影響し、コストが高価になり、一方、半田付けにより半田ペーストが生成することも、基板２ａ上の検出素子の機能に影響を与える。
また、特許文献１に示される技術も知られている。        
【０００４】
故に、本考案者は、上記の欠点を改善するため、慎重に研究開発し、そして、学理を活用して、設計が合理的で有効に上記の欠点を改善できる本考案を提案する。
【特許文献１】実開平７−４２２５９号公報
【考案の開示】
【考案が解決しようとする課題】
【０００５】
本考案の主な目的は、画像センサーの耐用寿命が向上され、組立て工程が低減され、また、コストを低下することができる接触式画像センサー構造を提供する。
【課題を解決するための手段】
【０００６】
本考案は、上記の目的を達成するため、対向する第１の端面と第２の端面があり、該第１の端面と該第２の端面に貫通するピン槽が形成され、該第２の端面に、光源収納槽が設けられ、該光源収納槽と該ピン槽とが連通する本体と、該ピン槽を覆うように、該第１の端面に固定され、複数の電気連接部がある基板と、該ピン槽と該光源収納槽に固定され、一端に、複数の電気ピンが設けられ、それらの電気ピンが、該ピン槽に貫通して該基板の電気連接部に接触する光源ユニットと、が含有されることを特徴とする接触式画像センサー構造である。
【０００７】
本考案によれば、該光源ユニットの電気ピンと該基板の電気連接部とが、半田付けによる固定方式を利用しなくて、電気ピンで電気連接部に接触することにより、電気的に接続される。これにより、半田付けの熱度により光源ユニットが破壊されることを防止でき、また、半田ペーストが、基板上の検出素子に影響を与えることを防止できる。そのため、接触式画像センサーの耐用寿命と信頼度が向上され、また、半田付けによる組み立てることではないため、接触式画像センサーの組立て工程を簡素化でき、また、コストを低下できる。
【考案を実施するための最良の形態】
【０００８】
図３乃至図５のように、本考案は、接触式画像センサー構造で、本体１と基板２、光源ユニット３（ｌｉｇｈｔ  ｓｏｕｒｃｅ）及びレンズ４（Ｌｅｎｓ）が備えられ、該本体１は、対向する第１の端面１１と第２の端面１２があり、該第１の端面１１と該第２の端面１２に貫通するピン槽１３が形成され、該第１の端面１１に、基板実装槽１４が設けられ、該第２の端面に、レンズ収納槽１５と光源収納槽１６が設けられ、該光源収納槽１６と該ピン槽１３とが連通する。
【０００９】
該基板２は、感光素子と電子定位装置により定位され、所定の電路板に半田付けされた電子素子とから構成され、該基板実装槽１４に、間隔的に複数の該本体１と一体成型である固定柱１７が設けられ、該基板２に、間隔的に複数の固定孔２１が形成され、該基板２の固定孔２１に該本体１の固定柱１７が組立てられ、また、該固定柱１７の一部が、該固定孔２１から露出し、熱圧着により、該固定柱１７が該固定孔２１から露出した部分を熱融合して、固定頭１８（図６のように）が形成され、基板２と本体１との組立てが完成される。
【００１０】
該レンズ４は、柱状体であり、該柱状であるレンズ４は、粘着により該レンズ収納槽１５の中に固定される。該光源ユニット３は、光案内棒３１と光源ダイオード３２が備えられ、該光源ダイオード３２と該光案内棒３１が、電気的に接続され、該光源ダイオード３２は、一側に、複数の電気ピン３３が設けられ、また、内部に、該電気ピン３３の一端に連接するための弾性機構（図に未表示）が設置されてもよく、これにより、電気ピン３３が、弾性を有し、また、直接に、弾性材質を有する電気ピン３３を利用してもよく、同じ効果が得られる。
【００１１】
該基板２の第２の端面１２は、複数の電気連接部２２が設けられ、それらの電気連接部２２が、該基板２の導電線（ｃｏｎｄｕｃｔｉｖｅ  ｔｒａｃｅ）や感光素子或いは電子素子に電気的に接続される。該光案内棒３１と該光源ダイオード３２は、それぞれ、粘着により、該光源収納槽１６と該ピン槽１３の中に固定され、それらの電気ピン３３が、該ピン槽１３に貫設され、該ピン槽１３の一端に貫通して該基板２の電気連接部２２と接触することにより、電気的に接続され（図７のように）、該電気連接部２２が、基板２の一端面上に設けられるだけで、電気ピン３３と電気的に接続されることが実現され、基板２として片面基板を利用することができるため、コストを低減できる。
【００１２】
図８と図９のように、本考案に係わる接触式画像センサー構造の第２の実施例であり、該基板２は、上面２３と底面２４があり、一端に、複数の該上面２３と底面２４に貫通する貫通孔２５が形成され、それらの電気連接部２２'が、それらの貫通孔２５の内壁にメッキされて、導電層の形態を形成し、それらの電気ピン３３'が、それぞれ、それらの貫通孔２５に貫設され、また、各電気ピン３３'に、それぞれ、基部３３１'があり、各基部３３１'の外部に、間隔的に複数の接触アーム３３２'が連接され、該接触アーム３３２'が、第１の湾曲部３３２１'と抵当部３３２２'及び第２の湾曲部３３２３'を備え、該第１の湾曲部３３２１'が、該基部３３１'から該基部３３１'から離れた方向へ湾曲して延ばし形成され、該抵当部３３２２'が、該第１の湾曲部３３２１'の該基部３３１'の離れた一端から該基部３３１'に平行する方向に直線のように延ばして形成され、該第２の湾曲部３３２３'が、該抵当部３３２２'の該第１の湾曲部３３２１'の離れた一端から該基部３３１'に接近する方向へ湾曲して延ばして形成される。該抵当部３３２２'が、該貫通孔２５内の電気連接部２２'に接触してメッキされ、これにより、基板２と該光源ユニット３が、電気的に接続され、また、該接触アーム３３２'は、形状が制限されず、貫通孔２５の内壁上の電気連接部２２'に接触すればよい。
【００１３】
如図１０と図１１のように、本考案に係わる接触式画像センサー構造の第３の実施例であり、該電気ピン３３"は、基部３３１"と挟み持ち部３３２"が備えられ、該挟み持ち部３３２"は、第１のアーム３３２１"と第２のアーム３３２２"及び第３のアーム３３２３"が備えられ、該第１のアーム３３２１"は、該基部３３１"一端から延ばして形成され、該第２のアーム３３２２"は、該第１のアーム３３２１"の該基部３３１"の離れた一端から延ばして形成され、該第３のアーム３３２３"は、該第２のアーム３３２２"の該第１のアーム３３２１"から離れた一端から延ばして形成され、該第２のアーム３３２２"は、該第１のアーム３３２１"と該第３のアーム３３２３"の間に位置する。該基板２は、底面２４に、複数の電気連接部２２"が設置され、該上面２３と該底面２４の間に、側壁２６があり、該第１のアーム３３２１"と該第３のアーム３３２３"が、それぞれ、該上面２３と底面２４に接触し、該第１のアーム３３２１"と電気連接部２２"が、接触されて電気的に接続される。また、該第２のアーム３３２２"が、該基板２の側壁２６の近くに位置するか、該基板２の側壁２６に接触する（図１２のように）。また、上面２３や底面２４の何れかの一端面に、電気連接部２２"が設置されれば、電気ピン３３"と基板２とが電気的に接続され、これにより、基板２として、単層基板だけをしても、コストが低減され、また、コストを顧慮しない場合、上面２３と底面２４に、ともに、電気連接部２２"を設置してもよい。
【００１４】
図１３のように、該側壁２６に、複数の欠け口２７が形成され、それらの第２のアーム３３２２"は、それぞれ、それらの欠け口２７まで伸ばす。
【００１５】
本考案に係わる接触式画像センサー構造は、上記の三つの実施例から分かるように、該光源ユニット３の電気ピン３３、３３'、３３"は、該基板２の電気連接部２２、２２'、２２"と、半田付けにより固定されることなく、電気ピン３３、３３'、３３"が電気連接部２２、２２'、２２"に接触することにより、電気的に接続される。これにより、半田付けの熱度が、光源ユニット３を破壊することなく、半田ペーストにより基板２上の検出素子に影響を与えることもない。そのため、接触式画像センサーの耐用寿命と信頼度が向上され、また、組立てが、半田付けによらず、接触式画像センサーの組立て工程が簡素化され、そして、該電気連接部２２、２２'、２２"が、基板２の一端面上に設置されることだけで、電気ピン３３、３３'、３３"が電気連接部２２、２２'、２２"に電気的に接続される効果が得られるため、基板２として、片面基板を利用でき、コストを低減できる。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】従来の接触式画像センサーの組立て図
【図２】図１の基板を本体に組立てた後の立体図
【図３】本考案に係わる接触式画像センサーの第１の実施例の組立て図
【図４】本考案の本体の上面図
【図５】本考案の本体の下面図
【図６】図３の基板を本体に熱圧着した後の立体図
【図７】本考案の第１の実施例の電気ピンが基板に電気的に接続される時の概念図
【図８】本考案に係わる接触式画像センサーの第２の実施例の組立て図
【図９】本考案の第２の実施例の電気ピンが基板に電気的に接続された時の概念図
【図１０】本考案に係わる接触式画像センサーの第３の実施例の組立て図
【図１１】本考案の第３の実施例の電気ピンが基板に電気的に接続される時の概念図
【図１２】図１１の電気ピンが基板に電気的に接続される時の他の状態概念図
【図１３】図１１の電気ピンが基板に電気的に接続される時の更に他の状態概念図
【符号の説明】
【００１８】
［従来］
１ａ      本体
１１ａ    第１の端面
１２ａ    第２の端面
１３ａ    ピン槽
２ａ      基板
２１ａ    パッド
３ａ      光源ユニット
３１ａ    電気ピン
４ａ      レンズ
５ａ      ネジ
［本考案］
１      本体
１１    第１の端面
１２    第２の端面
１３    ピン槽
１４    基板実装槽
１５    レンズ収納槽
１６    光源収納槽
１７    固定柱
１８    固定頭
２      基板
２１    固定孔
２２    電気連接部
２２’  電気連接部
２２”  電気連接部
２３    上面
２４    底面
２５    貫通孔
２６    側壁
２７    欠け口
３      光源ユニット
３１    光案内棒
３２    光源ダイオード
３３    電気ピン
３３’  電気ピン
３３”  電気ピン
３３１'      基部
３３１"      基部
３３２'      接触アーム
３３２"      挟み持ち部
３３２１'      第１の湾曲部
３３２１"      第１のアーム
３３２２'      抵当部
３３２２"      第２のアーム
３３２３'      第２の湾曲部
３３２３"      第３のアーム
４             レンズ
【図１】
0003139063.tif 000003
【図２】
0003139063.tif 000004
【図３】
0003139063.tif 000005
【図４】
0003139063.tif 000006
【図５】
0003139063.tif 000007
【図６】
0003139063.tif 000008
【図７】
0003139063.tif 000009
【図８】
0003139063.tif 000010
【図９】
0003139063.tif 000011
【図１０】
0003139063.tif 000012
【図１１】
0003139063.tif 000013
【図１２】
0003139063.tif 000014
【図１３】
0003139063.tif 000015